(57)【要約】  複数の通信方法から選択された最適の通信方式で通信するモバイル端末機及びその通信方法を開示する。このモバイル端末機は、ネットワークを通じて複数の通信方式で相手のモバイル端末機と通信できる通信部と、前記通信部を介して送受信された信号を処理する信号処理部と、処理された信号を表示するディスプレイ部と、前記複数の通信方式のうち、最適の通信方式で前記相手のモバイル端末機と通信するように前記通信部を制御する制御部と、を備える。
2013509781.tif 000002
【特許請求の範囲】
【請求項１】
ネットワークを通じて複数の通信方式で相手のモバイル端末機と通信できる通信部と、
前記通信部を介して送受信された信号を処理する信号処理部と、
処理された信号を表示するディスプレイ部と、
前記複数の通信方式のうち、最適の通信方式で前記相手のモバイル端末機と通信するように前記通信部を制御する制御部と、
を備えることを特徴とする、モバイル端末機。
【請求項２】
前記制御部は、前記相手のモバイル端末機と通信する通信環境をモニタリングし、モニタリングした通信環境に適用可能な最適の通信方式を判断することを特徴とする、請求項１に記載のモバイル端末機。
【請求項３】
前記制御部は、前記相手のモバイル端末機との通信環境を周期的にモニタリングすることを特徴とする、請求項２に記載のモバイル端末機。
【請求項４】
前記制御部は、前記複数の通信方式のうち、信号転送速度の最も速い通信方式を前記最適の通信方式として設定することを特徴とする、請求項１に記載のモバイル端末機。
【請求項５】
前記制御部は、前記通信部を介して前記相手のモバイル端末機と所定のコンテンツが送受信されると、前記コンテンツの特性に基づいて最適の通信方式を判断することを特徴とする、請求項１に記載のモバイル端末機。
【請求項６】
前記ディスプレイ部は、前記最適の通信方式が変更されると、前記変更された通信方式を表示することを特徴とする、請求項１に記載のモバイル端末機。
【請求項７】
前記制御部は、前記最適の通信方式が変更されると、前記相手のモバイル端末機に通信方式の変更に関する情報を転送することを特徴とする、請求項１に記載のモバイル端末機。
【請求項８】
前記制御部は、前記相手のモバイル端末機から通信方式の変更を受諾する信号を受信すると、前記通信方式を変更することを特徴とする、請求項７に記載のモバイル端末機。
【請求項９】
前記制御部は、前記相手のモバイル端末機から通信方式変更要請を受信すると、要請された通信方式で前記相手のモバイル端末機と通信するように前記通信部を制御することを特徴とする、請求項１に記載のモバイル端末機。
【請求項１０】
前記複数の通信方式には優先順位が設定されており、
前記制御部は、前記優先順位の高い通信方式で前記相手のモバイル端末機と通信するように前記通信部を制御することを特徴とする、請求項１に記載のモバイル端末機。
【請求項１１】
前記制御部は、前記複数の通信方式のうち、ユーザー利用頻度数の高い通信方式に優先順位を与えることを特徴とする、請求項１０に記載のモバイル端末機。
【請求項１２】
前記モバイル端末機が、第１の通信方式で所定のインターネットサーバーに接続し、前記第１の通信方式と異なる第２の通信方式で前記相手のモバイル端末機と通信する場合に、
前記制御部は、前記インターネットサーバーと前記相手のモバイル端末機間の情報をルーティングすることを特徴とする、請求項１に記載のモバイル端末機。
【請求項１３】
前記制御部は、前記相手のモバイル端末機にインターネットプロトコル（ＩＰ）アドレスを割り当て、前記相手のモバイル端末機から受信したドメインネームシステム（ＤＮＳ）要請を前記インターネットサーバーに転送し、前記インターネットサーバーから受信したＤＮＳ応答を前記相手のモバイル端末機に転送することを特徴とする、請求項１２に記載のモバイル端末機。
【請求項１４】
前記制御部は、前記インターネットサーバーに、前記相手のモバイル端末機と情報を共有できるコミュニティを生成し、前記コミュニティに共有された情報をルーティングすることを特徴とする、請求項１３に記載のモバイル端末機。
【請求項１５】
前記第１の通信方式は、３世代（３Ｇ）ネットワーク通信であり、前記第２の通信方式は、Ｗｉ−Ｆｉまたはブルトゥースのいずれかであることを特徴とする、請求項１２に記載のモバイル端末機。
【請求項１６】
第１の相手のモバイル端末機と第１の通信方式で通信し、前記第１の通信方式と異なる第２の通信方式で第２の相手のモバイル端末機と通信する場合に、
前記制御部は、前記第１の相手のモバイル端末機から受信した情報を、前記第２の通信方式に適したフォーマットにトランスコーディングして前記第２の相手のモバイル端末機に転送し、前記第２の相手のモバイル端末機から受信した情報を、前記第１の通信方式に適したフォーマットにトランスコーディングして前記第１の相手のモバイル端末機に転送することを特徴とする、請求項１に記載のモバイル端末機。
【請求項１７】
ネットワークを通じて複数の通信方式で相手のモバイル端末機と通信できるモバイル端末機の通信方法であって、
前記相手のモバイル端末機との通信環境をモニタリングするステップと、
モニタリングした通信環境に適用可能な最適の通信方式を判断するステップと、
前記最適の通信方式で前記相手のモバイル端末機と通信するステップと、
を含むことを特徴とする、モバイル端末機の通信方法。
【請求項１８】
前記通信環境をモニタリングするステップは、周期的に行われることを特徴とする、請求項１７に記載のモバイル端末機の通信方法。
【請求項１９】
前記最適の通信方式を判断するステップは、複数の通信方式のうち、信号転送速度の最も速い通信方式を前記最適の通信方式と判断することを特徴とする、請求項１７に記載のモバイル端末機の通信方法。
【請求項２０】
前記最適の通信方式が変更されると、変更された通信方式を前記モバイル端末機のディスプレイ部に表示するステップをさらに含むことを特徴とする、請求項１７に記載のモバイル端末機の通信方法。
【請求項２１】
前記最適の通信方式が変更されると、前記相手のモバイル端末機に通信方式の変更に関する情報を転送するステップをさらに含むことを特徴とする、請求項１７に記載のモバイル端末機の通信方法。
【請求項２２】
前記相手のモバイル端末機から通信方式の変更を受諾する信号を受信すると、前記通信方式を変更するステップをさらに含むことを特徴とする、請求項２１に記載のモバイル端末機の通信方法。
【請求項２３】
前記相手のモバイル端末機から通信方式変更要請を受信すると、要請された通信方式で前記相手のモバイル端末機と通信するステップをさらに含むことを特徴とする、請求項１７に記載のモバイル端末機の通信方法。
【請求項２４】
第１の通信方式で所定のインターネットサーバーに接続するステップと、
前記第１の通信方式と異なる第２の通信方式で前記相手のモバイル端末機と通信するステップと、
前記インターネットサーバーと前記相手のモバイル端末機間の情報をルーティングするステップと、
をさらに含むことを特徴とする、請求項１７に記載のモバイル端末機の通信方法。
【請求項２５】
前記ルーティングするステップは、
前記相手のモバイル端末機にインターネットプロトコル（ＩＰ）アドレスを割り当てるステップと、
前記相手のモバイル端末機からドメインネームシステム（ＤＮＳ）要請を受信するステップと、
前記ＤＮＳ要請を前記インターネットサーバーに転送するステップと、
前記インターネットサーバーから受信したＤＮＳ応答を、前記相手のモバイル端末機に転送するステップと、
を含むことを特徴とする、請求項２４に記載のモバイル端末機の通信方法。
【請求項２６】
前記インターネットサーバーに、前記相手のモバイル端末機と情報を共有できるコミュニティを生成するステップをさらに含み、
前記ルーティングするステップは、前記ネットワークに共有された情報をルーティングすることを特徴とする、請求項２４に記載のモバイル端末機の通信方法。
【請求項２７】
前記第１の通信方式は、３世代（３Ｇ）ネットワーク通信であり、前記第２の通信方式は、Ｗｉ−Ｆｉまたはブルトゥースのいずれかであることを特徴とする、請求項２４に記載のモバイル端末機の通信方法。
【請求項２８】
第１の相手のモバイル端末機と第１の通信方式で通信し、前記第１の通信方式と異なる第２の通信方式で第２の相手のモバイル端末機と通信する場合に、
前記第１の相手のモバイル端末機から受信した情報を、前記第２の通信方式に適したフォーマットを有する第１のトランスコード情報にトランスコーディングするステップと、
前記第１のトランスコード情報を前記第２の相手のモバイル端末機に転送するステップと、
前記第２の相手のモバイル端末機から受信した情報を、前記第１の通信方式に適したフォーマットを有する第２のトランスコード情報にトランスコーディングするステップと、
前記第２のトランスコード情報を前記第１の相手のモバイル端末機に送信するステップと、
をさらに含むことを特徴とする、請求項１７に記載のモバイル端末機の通信方法。
【発明の詳細な説明】
【技術分野】
【０００１】
本発明は、モバイル端末機及びその通信方法に係り、特に、コミュニティ通信を行うモバイル端末機及びその通信方法に関する。
【背景技術】
【０００２】
通信方式の多様化及び様々なプロトコルの登場に伴って端末機間の通信形態も多様化してきている。
【０００３】
そのため、無線インターネットの普及が拡散しつつあり、移動通信技術の発達に伴って様々なコンテンツ提供サービスが携帯用電話機に提供されている。
【０００４】
しかしながら、通信方式は多様化しつつあるが、サービスを受けている端末機ユーザーには、現在使用している端末機の通信方式を認知し難く、最適の通信方式がわからない。
【発明の概要】
【発明が解決しようとする課題】
【０００５】
したがって、本発明の一実施例は、複数の通信方式のうち、最適の通信方式で通信できるモバイル端末機及びその通信方法を提供する。
【０００６】
本発明の他の実施例は、通信環境が変わった時に通信方式を選択できるインターフェースを提供するモバイル端末機及びその通信方法を提供する。
【０００７】
本発明の他の実施例は、異なる通信方式で通信するモバイル端末機間のインターネット接続を提供するモバイル端末機及びその通信方法を提供する。
【０００８】
本発明の他の実施例は、異なる通信方式で通信するモバイル端末機間の情報をルーティングするモバイル端末機及びその通信方法を提供する。
【課題を解決するための手段】
【０００９】
本発明に係るモバイル端末機は、ネットワークを通じて複数の通信方式で相手のモバイル端末機と通信できる通信部と、前記通信部を介して送受信された信号を処理する信号処理部と、処理された信号を表示するディスプレイ部と、前記複数の通信方式のうち、最適の通信方式で前記相手のモバイル端末機と通信するように前記通信部を制御する制御部と、を備える。
【００１０】
本発明の他の実施例に係る、ネットワークを通じて複数の通信方式で相手のモバイル端末機と通信可能なモバイル端末機の通信方法は、前記相手のモバイル端末機との通信環境をモニタリングするステップと、モニタリングした通信環境に適用可能な最適の通信方式を判断するステップと、前記最適の通信方式で前記相手のモバイル端末機と通信するステップと、を含む。
【００１１】
前記通信方法は、前記最適の通信方式が変更されると、変更された通信方式を前記ディスプレイ部に表示するステップをさらに含む。
【００１２】
前記通信方法は、前記最適の通信方式が変更されると、前記相手のモバイル端末機に通信方式の変更に関する情報を転送するステップをさらに含む。
【００１３】
前記通信方法は、前記相手のモバイル端末機から通信方式変更要請を受信すると、要請された通信方式で前記相手のモバイル端末機と通信するステップをさらに含む。
【００１４】
前記通信方法は、第１の通信方式で所定のインターネットサーバーに接続するステップと、前記第１の通信方式と異なる第２の通信方式で前記相手のモバイル端末機と通信するステップと、前記インターネットサーバーと前記相手のモバイル端末機間の情報をルーティングするステップと、をさらに含む。
【００１５】
前記通信方法は、前記インターネットサーバーに前記相手のモバイル端末機と情報を共有できるコミュニティを生成するステップをさらに含み、前記インターネットサーバー及び前記相手のモバイル端末機間のルーティング情報は、前記ネットワークに共有されたルーティング情報を含む。
【００１６】
前記通信方法は、第１の相手のモバイル端末機と第１の通信方式で通信し、前記第１の通信方式と異なる第２の通信方式で第２の相手のモバイル端末機と通信する場合に、前記第１の相手のモバイル端末機から受信した情報を、前記第２の通信方式に適したフォーマットにトランスコーディングして前記第２の相手のモバイル端末機に転送し、前記第２の相手のモバイル端末機から受信した情報を、前記第１の通信方式に適したフォーマットにトランスコーディングして前記第１の相手のモバイル端末機に転送するステップと、をさらに含む。
【発明の効果】
【００１７】
上述したように、本発明の実施例に係るモバイル端末機及びその通信方法によれば、複数の通信方式から選択された最適の通信方式で通信することができる。
【００１８】
また、本発明の他の実施例に係るモバイル端末機及びその通信方法によれば、通信方式が変更された時に通信方式を選択できるインターフェースを提供することができる。
【００１９】
また、本発明の他の実施例に係るモバイル端末機及びその通信方法によれば、異なる通信方式で通信するモバイル端末機間のインターネット接続を提供することができる。
【００２０】
また、本発明の他の実施例に係るモバイル端末機及びその通信方法によれば、異なる通信方式で通信するモバイル端末機間の情報をルーティングすることができる。
【図面の簡単な説明】
【００２１】
【図１】本発明の一実施例に係るモバイル端末機の制御ブロック図である。
【図２】図１のモバイル端末機により行われる通信方法を説明するための制御流れ図である。
【図３】図１のモバイル端末機により行われる他の通信方法を説明するための制御流れ図である。
【図４】図１のモバイル端末機により行われるさらに他の通信方法を説明するための制御流れ図である。
【図５】図１のモバイル端末機により行われるさらに他の通信方法を説明するための図である。
【発明を実施するための形態】
【００２２】
以下、添付の図面を参照して、本発明の実施例について、本発明の属する技術の分野における通常の知識を有する者が容易に実施できるように詳細に説明する。本発明は、ここに説明される実施例に限定されず、様々な実施の形態とすることができる。本発明を明確に説明するために、説明と関連していない部分は省略するものとし、明細書全体を通じて同一または類似の構成要素には、同一の参照符号を付ける。
【００２３】
図１は、本発明の一実施例に係るモバイル端末機１００の制御ブロック図である。
【００２４】
モバイル端末機１００は、通信部１１０、信号処理部１２０、ディスプレイ部１３０、及びこれらを制御する制御部１４０を備える。モバイル端末機１００は、少なくとも一つの相手のモバイル端末機２００と通信することができる。モバイル端末機１００と相手のモバイル端末機２００は、音声及び映像通話が可能な電話機とすることもでき、ネットワーク通信で通信可能なラップトップコンピュータ、ＰＤＡ（Ｐｅｒｓｏｎａｌ  Ｄｉｇｉｔａｌ  Ａｓｓｉｓｔａｎｔ）、ＭＰ３（ＭＰＥＧ  Ａｕｄｉｏ  Ｌａｙｅｒ−３）などとすることもできる。
【００２５】
通信部１１０は、ネットワークを通じて複数の通信方式で相手のモバイル端末機２００と通信することができる。通信部１１０は、特定した一つの通信方式ではなく、複数の通信方式で通信可能であり、通信環境または制御部１４０の制御に応じて通信方式を変更することができる。通信部１１０は、Ｗｉ−Ｆｉ、ブルトゥース（Ｂｌｕｅｔｏｏｔｈ(登録商標)）、ジグビー（Ｚｉｇｂｅｅ(登録商標)）通信などを行って、複数の相手のモバイル端末機２００とアドホック（Ａｄ−Ｈｏｃ）方式で接続することができる。この場合、通信部１１０は、Ｗｉ−Ｆｉ、ブルトゥース、ジグビー通信モジュールなどを有することができる。また、通信部１１０は、Ｗｉ−Ｆｉ、無線ＬＡＮ（ＷＬＡＮ）通信などを行って、複数の相手のモバイル端末機２００とインフラストラクチャー（Ｉｎｆｒａｓｔｒｕｃｔｕｒｅ）ネットワークを構成することができる。このために、通信部１１０は、Ｗｉ−Ｆｉ、ＷＬＡＮ通信モジュールなどを有することができる。また、通信部１１０は、移動体通信事業者（ｍｏｂｉｌｅ  ｎｅｔｗｏｒｋ  ｏｐｅｒａｔｏｒ；ＭＮＯ）が提供するサービスを用いて相手のモバイル端末機２００と通信することができ、現在、３Ｇネットワークで通信する。
【００２６】
信号処理部１２０は、通信部１１０によって送受信される信号を処理することができる。具体的に、信号処理部１２０は、信号のエンコーディング、デコーディング、復調などを行うことができる。
【００２７】
ディスプレイ部１３０は、信号処理部１２０によって処理される信号に基づいて映像を表示する。ディスプレイ部１３０は、液晶表示パネル（Ｌｉｑｕｉｄ  Ｃｒｙｓｔａｌ  Ｄｉｓｐｌａｙ  Ｐａｎｅｌ）、有機発光ダイオードパネル（Ｏｒｇａｎｉｃ  Ｌｉｇｈｔ  Ｅｍｉｔｔｉｎｇ  Ｄｉｓｐｌａｙ  Ｐａｎｅｌ）、またはプラズマ表示パネル（Ｐｌａｓｍａ  Ｄｉｓｐｌａｙ  Ｐａｎｅｌ：ＰＤＰ）などのディスプレイパネル、及び当該ディスプレイパネルを駆動するパネル駆動部を備える。
【００２８】
本実施例に係るモバイル端末機１００は、図示しないユーザー入力部をさらに備えることができる。具体的に、ユーザー入力部は、通信及びインターネット接続、例えば、通信を開始し、コミュニティを開設し、通信を終了する等のユーザー入力を受信する。ユーザー入力部は、タッチスクリーン、タッチパッド及びキーボタンなどにすることができる。
【００２９】
制御部１４０は、複数の通信方式のうち、最適の通信方式で相手のモバイル端末機２００と通信するように通信部１１０を制御する。ユーザーの位置によって、すなわち、通信の行われる通信環境によって、モバイル端末機１００が取れる通信方式は複数個存在できる。通信環境によっては、モバイル端末機１００が一つの通信方式で通信することもできる。制御部１４０は、相手のモバイル端末機２００との通信環境をモニタリングし、モニタリングした通信環境に適用可能な最適の通信方式を判断する。複数個の通信方式で通信できる場合に、制御部１４０は、通信にかかる費用、例えば、通信費用が有料か無料か、或いはより安価な通信方式、データ転送速度、通信周波数帯域などを考慮して、ユーザーに最適の通信方式を提案する。例えば、制御部１４０がモニタリングした結果、現在、モバイル端末機１００と相手のモバイル端末機２００間には、３Ｇネットワーク方式及びＷｉ−Ｆｉ方式で通信が可能であり、両モバイル端末機１００，２００がＷｉ−Ｆｉ中継器を中心に一定の範囲内に存在するとすれば、制御部１４０は、通信速度、すなわち、信号やデータ転送速度に優れたＷｉ−Ｆｉ方式で両モバイル端末機１００，２００が通信するように制御できる。
【００３０】
制御部１４０は、相手のモバイル端末機２００との通信環境をモニタリングするためにプローブパケット（ｐｒｏｖｉｎｇ  ｐａｃｋｅｔ)を授受することもでき、任意の信号を送受信しながら信号強度を測定し、これに基づいて信号の速度を演算することができる。通信環境をモニタリングするための別途の信号チャネルを支援する通信方式では、制御部１４００は、定められた信号チャネルを用いてモニタリングを行い、別途の専用チャネルが支援されない通信方式では、公知の様々な方法を適用して通信環境をモニタリングする。制御部１４０は、一定の周期に通信環境をモニタリングして最適の通信方式を設定してもよく、通信環境が特定条件に該当すると、他の通信方式を検索することもできる。例えば、モバイル端末機１００と相手のモバイル端末機２００が３Ｇネットワークで通信しているとすれば、周期的にＷｉ−Ｆｉ通信方式を適用できるか否か検索することができる。または、モバイル端末機１００と相手のモバイル端末機２００がＷｉ−Ｆｉ方式で通信しているとすれば、信号の送受信速度が非常に低い、または、受信される信号の強度が急に減少すると、制御部１４０は、通信環境が変わったと把握し、新しい通信方式を検索することができる。すなわち、現在の通信環境が急に変わる場合には、制御部１４０は最適の通信方式を新しく設定することができる。
【００３１】
また、他の実施例によれば、制御部１４０は、相手のモバイル端末機２００から受信した情報を用いて最適の通信方式を検索することもできる。相手のモバイル端末機２００は、現在の通信方式以外の通信方式でも通信ができる場合、または、現在の通信方式ではそれ以上通信が維持できない場合のような特別な状況に関する情報を、モバイル端末機１００に転送することができる。このような情報を受信した制御部１４０は、現在の通信環境をモニタリングして最適の通信方式を判断することができる。
【００３２】
または、制御部１４０は、モバイル端末機１００と相手のモバイル端末機２００間に転送されるコンテンツの特性によって最適の通信方式を判断することもできる。コンテンツがテキストか、静止映像か、または動映像かによって、コンテンツの転送速度、帯域幅などを考慮して最適の通信方式を設定することができる。
【００３３】
制御部１４０は、現在の最適の通信方式に関する情報をディスプレイ部１３０に表示することができる。
【００３４】
もし、ユーザーの移動や通信環境の変化によって最適の通信方式が変更されると、制御部１４０は、変更された通信方式に関する情報をディスプレイ部１３０に表示し、相手のモバイル端末機２００に通信方式の変更に関する情報を転送する。例えば、特定の建物や空間内部でモバイル端末機１００が相手のモバイル端末機２００とＷｉ−Ｆｉ方式で通信していたが、ユーザーの移動によりそれ以上Ｗｉ−Ｆｉ通信が行えず、３Ｇネットワークを用いて通信するしかない場合に、制御部１４０は、この事実をディスプレイ部１３０に表示し、通信方式が変更されなければならないことをユーザーに知らせる。なお、この事実を相手のモバイル端末機２００に知らせ、変更された通信方式で通信を継続するか否かを、相手が選択できるようにすることもできる。もし、Ｗｉ−Ｆｉ方式による無料通信を用いていたが、有料の３Ｇ方式で通信方式が変更されると、相手は通信を維持したくないこともあるからである。
【００３５】
制御部１４０は、相手のモバイル端末機２００から通信方式の変更を受諾する信号を受信すると、通信方式をＷｉ−Ｆｉ方式から３Ｇネットワーク方式へと変更できる。すなわち、制御部１４０は、通信可能な最適の通信方式を判断してそれをユーザーに提供し、ユーザーの選択に応じて通信方式を変更する。
【００３６】
図２は、図１のモバイル端末機による通信方法を説明するための制御流れ図である。
【００３７】
図２を参照すると、制御部１４０は、現在ユーザーが位置する通信環境で通信可能な通信方式をモニタリングし（Ｓ１０）、なかでも最適の通信方式を判断する（Ｓ２０）。最適の通信方式は、上述したように、通信の状態が最も良好で、データ転送速度が速いとっいた技術的基準により決定されてもよく、通信費用を基準に設定されてもよい。また、複数の通信方式には優先順位が設定されており、制御部１４０は、優先順位の高い通信方式で相手のモバイル端末機２００と通信するように通信部１１０を制御してもよい。優先順位は、モバイル端末機１００の製造に当たって設定されてもよく、ユーザーによって変更されてもよい。優先順位が定められている場合に、通信部１１０は、優先順位に基づいて通信を行い、モニタリングされた最適の通信方式で通信しなくてもよい。制御部１４０は、複数の通信方式のうち、ユーザーの利用頻度数が高い通信方式に優先順位を与えてもよい。例えば、無料通信が可能な位置においてもユーザーが有料通信を好むとすれば、制御部１４０は、ユーザーが利用した頻度数の高い有料通信方式によって通信を行ってもよい。ユーザーが優先順位を設定及び変更すると、制御部１４０は、ユーザーの好みに対応して通信方式を変更することができる。また、優先順位は、通信にかかる通信費の大小によって設定されてもよい。
【００３８】
最適の通信方式が決定されると、制御部１４０は、通信部１１０を制御して、決定された最適の通信方式で相手のモバイル端末機２００と通信する（Ｓ３０）。
【００３９】
一方、ユーザーの移動などによって通信環境が変わり、これによって最適の通信方式が変更されると（Ｓ４０）、制御部１４０は、変更された通信方式に関する情報をディスプレイ部１３０に表示し（Ｓ５０）、通信方式が変更されたという情報を相手のモバイル端末機２００に転送する（Ｓ６０）。
【００４０】
制御部１４０は、相手のモバイル端末機２００から通信方式変更を受諾する信号が転送されるか否かを判断する（Ｓ７０）。相手のモバイル端末機２００から通信方式変更を受諾する信号が転送されると、通信方式を変更して通信を維持する（Ｓ８０）。
【００４１】
一方、相手のモバイル端末機２００から通信方式変更を拒絶する信号が転送されると、制御部１４０は、通信を終了する（Ｓ９０）。
【００４２】
図３は、図１のモバイル端末機による他の通信方法を説明するための制御流れ図である。制御部１４０によって最適の通信方式で通信する過程は、図２のＳ１０乃至Ｓ３０と同一である。
【００４３】
最適の通信方式で通信している途中で、ユーザーのモバイル端末機１００ではなく相手のモバイル端末機２００の通信環境が変わる場合がある。
【００４４】
この場合、制御部１４０は、相手のモバイル端末機２００から通信方式変更要請信号を受信する（Ｓ１００）。
【００４５】
ユーザーの意思に応じて、制御部１４０は、現在の通信方式から要請された通信方式へと変更する（Ｓ１１０）。もし、ユーザーが相手のモバイル端末機２００から要請された通信方式を好まないと、制御部１４０は通信を終了すればよい。
【００４６】
図４は、図１のモバイル端末機によるさらに他の通信方法を説明するための制御流れ図である。図４を参照すると、モバイル端末機１００は、第１の通信方式でインターネットサーバーに接続することができ、第１の通信方式と異なる第２の通信方式で相手のモバイル端末機２００と通信することができる。例えば、第１の通信方式は、移動体通信事業者による３Ｇネットワーク通信であり、第２の通信方式は、Ｗｉ−Ｆｉまたはブルトゥースのいずれかでよい。
【００４７】
まず、モバイル端末機１００は、第１の通信方式を用いてインターネットサーバーに接続する（Ｓ２００）。モバイル端末機１００は、移動体通信事業者のコアネットワークを通じてインターネットに接続した後に、インターネット接続共有（ｉｎｔｅｒｎｅｔ  ｃｏｎｎｅｃｔｉｏｎ  ｓｈａｒｉｎｇ；ＩＣＳ）機能を実行する。ユーザーは、特定インターネットサーバーを通じて他のユーザーと情報を共有できるコミュニティを生成することができる。ユーザーは、ＳＮＳ（ｓｏｃｉａｌ  ｎｅｔｗｏｒｋ  ｓｅｒｖｉｃｅ）サイトに接続することもでき、チャットルーム（ｃｈａｔｔｉｎｇ  ｒｏｏｍ）やメッセージ送受信のためのコミュニティを生成することもできる。
【００４８】
その後、モバイル端末機１００は、Ｗｉ−Ｆｉまたはブルトゥースのような第２の通信方式で相手のモバイル端末機２００と通信を開始する（Ｓ２１０）。ユーザーのモバイル端末機１００と相手のモバイル端末機２００との最適の通信方式は、第１の通信方式ではなく第２の通信方式である。この場合、ユーザーは、第１の通信方式で接続したインターネット環境を第２の通信方式で相手に提供するために、相手のモバイル端末機２００にＩＰアドレスを割り当てる（Ｓ２２０）。ユーザーは、ＩＰアドレスを割り当てながら、相手のモバイル端末機２００に、自身の接続しているインターネットサーバーまたはコミュニティに接続することを要請するできる。
【００４９】
ＩＰアドレスを割り当てられた相手のモバイル端末機２００は、ＤＮＳ（Ｄｏｍａｉｎ  Ｎａｍｅ  Ｓｙｓｔｅｍ）を要請し（Ｓ２３０）、これを受信したモバイル端末機１００は、相手のモバイル端末機２００のＤＮＳ要請信号をインターネットサーバーに転送する（Ｓ２４０）。
【００５０】
その後、モバイル端末機１００は、インターネットサーバーからＤＮＳ応答を受信し（Ｓ２５０）、これを相手のモバイル端末機２００に転送する（Ｓ２６０）。すなわち、モバイル端末機１００は、相手のモバイル端末機２００に対してＤＨＣＰサーバーの役割を果たす。
【００５１】
以上の過程により相手のモバイル端末機２００はインターネットサーバーに接続し、ユーザーと相手はコミュニティ空間で情報を共有可能になる。
【００５２】
もし、相手が相手のモバイル端末機２００を介してコミュニティ情報を入力すると（Ｓ２７０）、モバイル端末機１００は、インターネット接続共有機能に含まれているネットワークアドレストランスレータ（ｎｅｔｗｏｒｋ  ａｄｄｒｅｓｓ  ｔｒａｎｓｌａｔｏｒ；ＮＡＴ）機能を用いて、コミュニティ情報をトランスレートする（Ｓ２８０）。すなわち、モバイル端末機１００は、インターネットサーバーと相手のモバイル端末機２００間の共有された情報をルーティングする。トランスレートされた情報は、第１の通信方式でインターネットサーバーに転送される（Ｓ２９０）。
【００５３】
また、ユーザーもコミュニティ情報を入力することができ、このコミュニティ情報は、サーバーに転送され（Ｓ３００）、トランスレートされて相手のモバイル端末機２００に転送される（Ｓ３１０）。
【００５４】
図４を参照して説明した本実施例によれば、相手は、有料サービスである３Ｇネットワークを用いず、無料サービスであるＷｉ−Ｆｉまたはブルトゥースを用いてインターネットサーバーに接続でき、ユーザーとインターネットサーバーを介した情報交換が可能になる。
【００５５】
図５は、図１のモバイル端末機によるさらに他の通信方法を説明するための図である。図５に示すように、モバイル端末機１００は、第１の相手のモバイル端末機３００及び第２の相手のモバイル端末機４００とそれぞれ異なる通信方式を用いて通信する。モバイル端末機１００は、第２の相手のモバイル端末機３００とは３Ｇネットワークを用いて通信し、第２の相手のモバイル端末機４００とはＷｉ−Ｆｉまたはブルトゥースを用いて通信する。
【００５６】
モバイル端末機１００の制御部１４０は、第１の相手のモバイル端末機３００から受信した情報は、第２の通信方式に適したフォーマットにトランスコーディングして第２の相手のモバイル端末機４００に転送し、第２の相手のモバイル端末機４００から受信した情報は、第１の通信方式に適したフォーマットにトランスコーディングして第１の相手のモバイル端末機３００に転送するトランスレータの機能を担う。モバイル端末機１００は、第１の相手のモバイル端末機３００と第２の相手のモバイル端末機４００との通信においてホストまたはサーバーとして機能する。モバイル端末機１００は、３つの端末機１００，３００，４００が情報を共有できるコミュニティを生成することができる。この場合、モバイル端末機１００は、チャットルームのようなＵＩを生成して、第１の相手のモバイル端末機３００及び第２の相手のモバイル端末機４００にそれぞれ転送し、各端末機３００，４００から入力された情報を互いに異なる通信方式に適するように変更して転送する。
【００５７】
このような通信がなされる途中に、端末機１００，３００，４００のいずれかの通信環境が変わると、図２または図３の通信方式変更方法が、図５を参照して説明した本実施例に適用されるとよい。
【００５８】
以上具体的な実施例を図示及び説明したが、本発明の属する技術の分野における通常の知識を有する当業者であれば、本発明の原則や精神から逸脱することなくそれらの実施例を変形することが可能である。従って、発明の範囲は、添付の請求項とその均等物により定められるべきである。
【符号の説明】
【００５９】
110  通信部
120  信号処理部
130  ディスプレイ部
140  制御部
200  相手のモバイル端末機
【図１】
2013509781.tif 000003
【図２】
2013509781.tif 000004
【図３】
2013509781.tif 000005
【図４】
2013509781.tif 000006
【図５】
2013509781.tif 000007
【国際調査報告】
2013509781.tif 000008
2013509781.tif 000009